【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
原稿を読み取る読取手段と、前記原稿を前記読取手段に送る原稿給送手段と、前記原稿給送手段の原稿給送路上の前記読取手段よりも上流側に位置し前記原稿が通過したことを検出する検知手段とを有する画像読取装置と、情報処理装置とを含む画像読取システムであって、
前記画像読取装置は、
前記検知手段が検出した原稿の先端が前記読取手段から所定の距離手前を通過した時に、前記読取手段に読み取り動作の開始を指示する読取開始指示手段と、
前記検知手段が検出した原稿の終端が前記読取手段より所定の距離を通過してから、前記読取手段に読み取り動作の終了を指示する読取終了指示手段と、
前記読取手段が読取った画像データを前記情報処理装置に送信する送信手段とを有し、
前記情報処理装置は、
前記送信手段から送信された前記画像データを受信する受信手段と、
前記画像データから前記原稿の画像領域を示す矩形領域を抽出する抽出手段と、
前記抽出された矩形領域の４つの頂点のうち前記画像データの上端もしくは下端から所定の距離内の領域に存在する頂点を取得する取得手段と、
前記抽出された矩形領域と、前記取得手段が取得した頂点とに基づいて、前記原稿の用紙サイズを判定する判定手段と
を有することを特徴とする画像読取システム。
【請求項２】
前記判定手段は、前記抽出された矩形領域の４つの頂点の全てが、前記画像データの上端および下端から所定の距離内の領域それぞれに存在する場合に、
前記抽出された矩形領域が前記原稿のサイズに等しいと判定することを特徴とする前記請求項１に記載の画像読取システム。
【請求項３】
前記判定手段は、前記抽出された矩形領域の頂点が、前記画像データの上端および下端から所定の距離内の領域それぞれに１点ずつ存在する場合に、
前記抽出された矩形領域が傾いていると判定することを特徴とする請求項１に記載の画像読取システム。
【請求項４】
前記判定手段は、前記抽出された矩形領域の頂点の少なくとも１点が、前記画像データの上端および下端から所定の距離内の領域のどちらか一方に存在する場合に、前記頂点と等しい位置に頂点を持ち、前記抽出された矩形領域と傾きが等しい複数の定型サイズの矩形領域の中から、前記頂点と等しい位置にある頂点と対角の位置にある頂点が、前記画像データの上端もしくは下端から所定の距離内の領域に存在する定型サイズの矩形領域を、前記原稿の用紙サイズであると判定し、
前記抽出手段は前記抽出された矩形領域を前記定型サイズに修正して抽出することを特徴とする請求項１記載の画像読取システム。
【請求項５】
前記判定手段は、前記抽出された原稿領域の頂点と等しい位置に頂点を持ち、前記抽出された矩形領域と傾きが等しい複数の定型サイズの矩形領域の中から、前記頂点と等しい位置にある頂点と対角の位置にある頂点が、前記画像データの上端もしくは下端から所定の距離内の領域に存在するような定型サイズの矩形領域が存在しなかった場合に、
前記抽出された矩形領域と傾きが等しく、
かつ前記抽出された矩形領域の前記画像データの上端もしくは下端から所定の距離内の領域に含まれる頂点に対して対角に位置する頂点が、前記画像データの上端もしくは下端から所定の距離内の領域に存在する矩形領域を設定し、前記矩形領域を前記原稿の用紙サイズであると判定することを特徴とする請求項４記載の画像読取システム。
【請求項６】
前記判定手段は、前記抽出された矩形領域の頂点が、前記画像データの上端および下端から所定の距離内の領域に存在しない場合に、
前記抽出された矩形領域に対して傾きが等しく、かつ前記画像データの上端および下端から所定の距離内の領域それぞれに少なくとも１つの頂点が存在し、かつ前記抽出された矩形領域の中心点が一致する矩形領域を設定し、前記矩形領域を前記原稿の用紙サイズであると判定することを特徴とする請求項１記載の画像読取システム。
【請求項７】
原稿を読み取る読取手段と、前記原稿を前記読取手段に送る原稿給送手段と、前記原稿給送手段の原稿給送路上の前記読取手段よりも上流側に位置し前記原稿が通過したことを検出する検知手段とを有する画像読取装置であって、
前記検知手段が検出した原稿の先端が前記読取手段から所定の距離手前を通過した時に、前記読取手段に読み取り動作の開始を指示する読取開始指示手段と、
前記検知手段が検出した原稿の終端が前記読取手段より所定の距離を通過してから、前記読取手段に読み取り動作の終了を指示する読取終了指示手段と、
前記読取手段が読取った画像データから、前記原稿の画像領域を示す矩形領域を抽出する抽出手段と、
前記抽出された矩形領域の４つの頂点のうち前記画像データの上端もしくは下端から所定の距離内の領域に存在する頂点を取得する取得手段と、
前記抽出された矩形領域と前記取得手段が取得した頂点とに基づいて、前記原稿の用紙サイズを判定する判定手段とを有することを特徴とする画像読取装置。
【請求項８】
原稿を読み取る読取手段と、前記原稿を前記読取手段に送る原稿給送手段と、前記原稿給送手段の原稿給送路上の前記読取手段よりも上流側に位置し前記原稿が通過したことを検出する検知手段とを有する画像読取装置と、情報処理装置とを含む画像読取システムの制御方法であって、
前記検知手段が検出した原稿の先端が前記読取手段から所定の距離手前を通過した時に、前記読取手段に読み取り動作の開始を指示する読取開始指示工程と、
前記検知手段が検出した原稿の終端が前記読取手段から所定の距離を通過してから、前記読取手段に読み取り動作の終了を指示する読取終了指示工程と、
前記読取手段が読み取った画像データから前記原稿の画像領域を示す矩形領域を抽出する抽出工程と、
前記抽出された矩形領域の４つの頂点のうち前記画像データの上端もしくは下端から所定の距離内の領域に存在する頂点を取得する取得工程と、
前記抽出された矩形領域と前記取得工程で取得した頂点とに基づいて、前記原稿の用紙サイズを判定する判定工程と、
を有することを特徴とする画像読取システムの制御方法。
【手続補正２】
【補正対象書類名】明細書
【補正対象項目名】発明の名称
【補正方法】変更
【補正の内容】
【発明の名称】画像読取システム及び画像読取装置および画像読取システムの制御方法
【手続補正３】
【補正対象書類名】明細書
【補正対象項目名】０００５
【補正方法】変更
【補正の内容】
【０００５】
本発明の画像読取システムは、原稿を読み取る読取手段と、前記原稿を前記読取手段に送る原稿給送手段と、前記原稿給送手段の原稿給送路上の前記読取手段よりも上流側に位置し前記原稿が通過したことを検出する検知手段とを有する画像読取装置と、情報処理装置とを含む画像読取システムであって、前記画像読取装置は、前記検知手段が検出した原稿の先端が前記読取手段から所定の距離手前を通過した時に、前記読取手段に読み取り動作の開始を指示する読取開始指示手段と、前記検知手段が検出した原稿の終端が前記読取手段より所定の距離を通過してから、前記読取手段に読み取り動作の終了を指示する読取終了指示手段と、前記読取手段が読取った画像データを前記情報処理装置に送信する送信手段とを有し、前記情報処理装置は、前記送信手段から送信された前記画像データを受信する受信手段と、前記画像データから前記原稿の画像領域を示す矩形領域を抽出する抽出手段と、前記抽出された矩形領域の４つの頂点のうち前記画像データの上端もしくは下端から所定の距離内の領域に存在する頂点を取得する取得手段と、前記抽出された矩形領域と前記取得手段が取得した頂点とに基づいて、前記原稿の用紙サイズを判定する判定手段とを有することを特徴とする。
【手続補正４】
【補正対象書類名】明細書
【補正対象項目名】０００６
【補正方法】変更
【補正の内容】
【０００６】
さらに、本発明の画像読取装置では、原稿を読み取る読取手段と、前記原稿を前記読取手段に送る原稿給送手段と、前記原稿給送手段の原稿給送路上の前記読取手段よりも上流側に位置し前記原稿が通過したことを検出する検知手段とを有する画像読取装置であって、前記検知手段が検出した原稿の先端が前記読取手段から所定の距離手前を通過した時に、前記読取手段に読み取り動作の開始を指示する読取開始指示手段と、前記検知手段が検出した原稿の終端が前記読取手段より所定の距離を通過してから、前記読取手段に読み取り動作の終了を指示する読取終了指示手段と、前記読取手段が読取った画像データから、前記原稿の画像領域を示す矩形領域を抽出する抽出手段と、前記抽出された矩形領域の４つの頂点のうち前記画像データの上端もしくは下端から所定の距離内の領域に存在する頂点を取得する取得手段と、前記抽出された矩形領域と前記取得手段が取得した頂点とに基づいて、前記原稿の用紙サイズを判定する判定手段とを有することを特徴とする。
【手続補正５】
【補正対象書類名】明細書
【補正対象項目名】０００７
【補正方法】変更
【補正の内容】
【０００７】
さらに本発明の画像読取システムの制御方法は、原稿を読み取る読取手段と、前記原稿を前記読取手段に送る原稿給送手段と、前記原稿給送手段の原稿給送路上の前記読取手段よりも上流側に位置し前記原稿が通過したことを検出する検知手段とを有する画像読取装置と、情報処理装置とを含む画像読取システムの制御方法であって、前記検知手段が検出した原稿の先端が前記読取手段から所定の距離手前を通過した時に、前記読取手段に読み取り動作の開始を指示する読取開始指示工程と、前記検知手段が検出した原稿の終端が前記読取手段から所定の距離を通過してから、前記読取手段に読み取り動作の終了を指示する読取終了指示工程と、前記読取手段が読み取った画像データから前記原稿の画像領域を示す矩形領域を抽出する抽出工程と、前記矩形領域の４つの頂点のうち前記画像データの上端もしくは下端から所定の距離内の領域に存在する頂点を取得する取得工程と、前記抽出された矩形領域と前記取得工程で取得した頂点とに基づいて、前記原稿の用紙サイズを判定する判定工程と、を有することを特徴とする。